(57)【要約】【課題】ヒンジ部等を一体的に設けた成形品の外枠において摩擦部となるヒンジピン等の磨耗を抑え耐久性を向上させる。【解決手段】遊技機の外郭を構成するアルミダイキャスト製の外枠１２に、内枠を開閉可能に支持するヒンジ部１８を一体的に設け、ヒンジ部１８に設けるヒンジピン２００はヒンジ部１８よりも耐磨耗性が高い鋼鉄製とする。内枠開閉時のヒンジ孔との摩擦に対し、ヒンジピン２００の磨耗が抑えられて耐久性が向上する。【選択図】        図３
2004194725.tif 000002
【特許請求の範囲】
【請求項１】
遊技機の外郭を構成するとともに遊技機本体を構成する内枠が開閉可能に取り付けられる遊技機の外枠であって、
上枠部、下枠部、左枠部、及び右枠部が一体化された枠本体と、
前記枠本体に一体的に設けられ、前記内枠を開閉可能に支持するヒンジ部と、前記ヒンジ部に設けられ、ヒンジ部よりも耐磨耗性が高い材料で形成されるとともに前記内枠に設けられたヒンジ孔が係合するヒンジピンと、
を有することを特徴とする遊技機の外枠。
【請求項２】
前記ヒンジピンは、前記ヒンジ部に圧入又はカシメ又はインサート成形により固着されることを特徴とする請求項１記載の遊技機の外枠。
【請求項３】
前記ヒンジ部を備える前記枠本体はアルミダイキャスト製とされ、前記ヒンジピンは鋼鉄製とされていることを特徴とする請求項１又は請求項２記載の遊技機の外枠。
【請求項４】
遊技機の外郭を構成するとともに遊技機本体を構成する内枠が開閉可能に取り付けられる遊技機の外枠であって、
上枠部、下枠部、左枠部、及び右枠部が一体化された枠本体と、
前記枠本体に一体的に設けられ、前記内枠を枠本体に施錠するために内枠に設けられた施錠装置のフック部が係合及び離脱可能とされた鍵受け部と、
前記鍵受け部に設けられ、鍵受け部よりも耐磨耗性が高い材料で形成されるとともに前記施錠装置による前記内枠の施錠状態で前記フック部が接触する接触部材と、
を有することを特徴とする遊技機の外枠。
【請求項５】
前記接触部材は、弾性変形可能な本体部と、この本体部に一体的に設けられ前記鍵受け部に形成された被係止部に係止可能とされた係止部と、を有することを特徴とする請求項４記載の遊技機の外枠。
【請求項６】
前記鍵受け部を備える前記枠本体はアルミダイキャスト製とされ、前記接触部材は鋼鉄製とされていることを特徴とする請求項４記載又は請求項５記載の遊技機の外枠。
【発明の詳細な説明】
【０００１】
【発明の属する技術分野】
本発明は、遊技機の外郭を構成するとともに遊技機本体を構成する内枠が開閉可能に取り付けられる遊技機の外枠に係り、詳しくは、上枠部、下枠部、左枠部、及び右枠部を一体化した一体構造の遊技機の外枠に関する。
【０００２】
【従来の技術】
パチンコ機等の遊技機では、遊技機の外郭を構成する外枠に木製のものが多用されている。例えば、図１８及び図１９に示される従来の外枠３００は、木材から削り出した上枠材３０２、下枠材３０４、左枠材３０６、及び右枠材３０８を矩形状に組み合わせ、各枠材の端部内側（四隅）を板金製のＬ型連結部材３１０Ｌ、３１０Ｒ、３１２Ｌ、３１２Ｒで固定することにより枠状に形成している。さらに、その枠状体の前面下端部には、枠状体を補強する木製の補強板３１４がＬ型連結部材３１２Ｌ、３１２Ｒを介して固定されており、補強板３１４の前面には化粧パネルとなる合成樹脂製の下飾り３１６が取り付けられている。
【０００３】
また、上枠材３０２と補強板３１４との各左端部には内枠（図示省略）を開閉可能に支持するための板金製のヒンジ３１８、３２０がネジ止め固定されており、下側のヒンジ３２０には内枠側のヒンジ孔を軸支する鋼鉄製のヒンジ軸３２２が立設されている。さらに、右枠材３０８の内側面には内枠に設けられた施錠装置のフックが係合する板金製の鍵受け３２４、２個がネジ止め固定されている。
【０００４】
一方、近年では、環境問題を背景とした木材使用量の低減、あるいはリサイクル性等を考慮し、木製に替えて板金等の枠材を用いるものや、型成形により上枠部、下枠部、左枠部、及び右枠部を一体化した一体構造の外枠が普及しつつある。例えば、成形品による外枠としては、合成樹脂材料によるものがあり（例えば、特許文献１参照）、また本出願人は、特願２００２−３６２０７７においてアルミダイキャスト製の外枠を出願している。またその出願では、内枠を開閉可能に支持するためのヒンジ部や、施錠装置のフック部が係合する鍵受け部を外枠に一体的に設けることで、部品点数の削減及び寸法精度の向上を図ることを提案している。
【０００５】
【特許文献１】
特開２００２−２３３６４１公報  （第３頁、第１図、第２図）
【０００６】
【発明が解決しようとする課題】
しかしながら、上述したアルミダイキャスト（アルミニウム合金）製の外枠では、ヒンジ部に設けるヒンジピンあるいは鍵受け部は摩擦部であるため、ヒンジピン及び鍵受け部が枠本体と同材質のアルミニウム合金製では、磨耗が早く耐久性が問題となる。
【０００７】
本発明は上記事実を考慮して、ヒンジ部や鍵受け部を一体的に設けた成形品の外枠において、摩擦部となるヒンジピン及び鍵受け部の磨耗を抑え耐久性を向上させた遊技機の外枠を提供することを課題とする。
【０００８】
【課題を解決するための手段】
上記目的を達成するために請求項１に記載の発明は、遊技機の外郭を構成するとともに遊技機本体を構成する内枠が開閉可能に取り付けられる遊技機の外枠であって、上枠部、下枠部、左枠部、及び右枠部が一体化された枠本体と、前記枠本体に一体的に設けられ、前記内枠を開閉可能に支持するヒンジ部と、前記ヒンジ部に設けられ、ヒンジ部よりも耐磨耗性が高い材料で形成されるとともに前記内枠に設けられたヒンジ孔が係合するヒンジピンと、を有することを特徴としている。
【０００９】
請求項１に記載の発明では、外枠の枠本体に一体的に設けたヒンジ部に、ヒンジ部よりも耐磨耗性が高い材料で形成したヒンジピンを設けることにより、内枠開閉時のヒンジ孔との摩擦に対するヒンジピンの磨耗が抑えられて耐久性が向上する。
【００１０】
請求項２に記載の発明は、請求項１記載の遊技機の外枠において、前記ヒンジピンは、前記ヒンジ部に圧入又はカシメ又はインサート成形により固着されることを特徴としている。
【００１１】
請求項２に記載の発明では、圧入又はカシメ又はインサート成形を用いることで、ヒンジピンをヒンジ部に強固に固着することができ、これにより、重量物となる機器本体の荷重が内枠開閉時にヒンジピンに加わっても、ヒンジピンはヒンジ部から容易に脱落することはない。
【００１２】
請求項３に記載の発明は、請求項１又は請求項２記載の遊技機の外枠において、前記ヒンジ部を備える前記枠本体はアルミダイキャスト製とされ、前記ヒンジピンは鋼鉄製とされていることを特徴としている。
【００１３】
請求項３に記載の発明では、枠本体をアルミダイキャスト製とすることで枠本体に一体的に設けるヒンジ部の剛性が高められ、さらに、ヒンジピンを硬質金属の鋼鉄製とすることによりヒンジピンの耐磨耗性を高めることができる。
【００１４】
請求項４に記載の発明は、遊技機の外郭を構成するとともに遊技機本体を構成する内枠が開閉可能に取り付けられる遊技機の外枠であって、上枠部、下枠部、左枠部、及び右枠部が一体化された枠本体と、前記枠本体に一体的に設けられ、前記内枠を枠本体に施錠するために内枠に設けられた施錠装置のフック部が係合及び離脱可能とされた鍵受け部と、前記鍵受け部に設けられ、鍵受け部よりも耐磨耗性が高い材料で形成されるとともに前記施錠装置による前記内枠の施錠状態で前記フック部が接触する接触部材と、を有することを特徴としている。
【００１５】
請求項４に記載の発明では、外枠の枠本体に一体的に設けた鍵受け部に、鍵受け部よりも耐磨耗性が高い材料で形成した接触部材を設けることにより、施錠装置を施錠又は解錠する際のフック部との摩擦に対する鍵受け部の磨耗が抑えられて耐久性が向上する。
【００１６】
請求項５に記載の発明は、請求項４記載の遊技機の外枠において、前記接触部材は、弾性変形可能な本体部と、この本体部に一体的に設けられ前記鍵受け部に形成された被係止部に係止可能とされた係止部と、を有することを特徴としている。
【００１７】
請求項５に記載の発明では、接触部材を鍵受け部に取り付けるには、接触部材の本体部を弾性変形させ、係止部を鍵受け部に形成された被係止部に係止させると、係止部は本体部の弾性力により被係止部に係止した状態に保持され、接触部材が鍵受け部に固定される。これにより、接触部材の鍵受け部への取り付けが簡単になる。
【００１８】
請求項６に記載の発明は、請求項４記載又は請求項５記載の遊技機の外枠において、前記鍵受け部を備える前記枠本体はアルミダイキャスト製とされ、前記接触部材は鋼鉄製とされていることを特徴としている。
【００１９】
請求項６に記載の発明では、枠本体をアルミダイキャスト製とすることで枠本体に一体的に設けるヒンジ部の剛性が高められ、さらに、接触部材を硬質金属の鋼鉄製とすることにより接触部材の耐磨耗性を高めることができる。
【００２０】
【発明の実施の形態】
以下、図面を参照して本発明の実施の形態について説明する。
【００２１】
［第１の実施形態］
（パチンコ機の構成）
図１及び図２には、第１の実施形態に係るパチンコ機が示されている。図１及び図２に示すように、パチンコ機１０は、パチンコ機１０の外郭を構成するとともにパチンコホールの島設備に設置される矩形状の外枠１２を備えている。外枠１２の前面には矩形額縁状の内枠１４が配置されており、内枠１４は、外枠１２に設けられた一対のヒンジ部１６、１８に左側端部が軸支されて開閉可能に取り付けられている。また外枠１２の前面下部には、化粧パネルとなる合成樹脂製の下飾り２０が取り付けられている。
【００２２】
内枠１４の前面上部には、ガラス板２２を装着したガラスフレーム２４を備えるガラス枠２６が配置されており、ガラス枠２６は左側端部が内枠１４に軸支されて開閉可能に取り付けられている。また、内枠１４の上部におけるガラス枠２６裏面側には、交換可能とされた遊技盤１００がセットされており、遊技盤１００は、ガラス枠２６を内枠１４に閉塞した状態でガラス枠２６に覆われるようになっている。
【００２３】
図２に示すように、パチンコ機１０の正面となるガラス枠２６の前面には、賞球表示灯や完了表示灯等としての機能を有する複数の表示灯８０と、賞球払出エラー表示灯８２及び払出状態エラー表示灯８４とがガラス板２２（遊技盤１００の遊技領域）を取り囲むように配列されており、さらに左上隅近傍と右側端上部には、遊技の効果音をステレオ出力するスピーカー８６、８８が配設されている。
【００２４】
また、内枠１４の前面下部には、遊技球を貯える球皿２８を備えた一体皿ユニット３０が配置されている。この一体皿ユニット３０も左側端部が内枠１４に軸支されて開閉可能に取り付けられており、一体皿ユニット３０の前面には、図２に示すように、左側下部に灰皿３２が配置され右側端部には打球の飛距離を調整するための発射ハンドル３４が取り付けられている。
【００２５】
一体皿ユニット３０の裏面には、発射ハンドル３４の基端部がネジ止めされてその基端固定部分を補強する板金製の発射ハンドル補強板３６と、球皿２８に貯められた遊技球が送り込まれる球送り装置３８とが取り付けられている。また、内枠１４の下部における一体皿ユニット３０裏面側には、遊技盤１００の左下に発射装置４０が配置され球皿２８の後方に位置して貯球タンク４２が取り付けられており、これらの発射装置４０及び貯球タンク４２は一体皿ユニット３０に覆われるようになっている。
【００２６】
内枠１４の裏面側には、貯球タンク４２の左側略上方に位置して賞球払出装置（図示省略）が設けられており、賞球払出装置から払い出された賞球は貯球タンク４２の上面左端部に形成されたタンク入口（図示省略）を介してタンク内へ落下されるようになっている。また、貯球タンク４２は、タンク底面が右側へ下り傾斜しており、その傾斜方向下流側となる前面右側端部にはタンク出口４４が形成されている。このタンク出口４４は、一体皿ユニット３０に形成された賞球排出口４６と対応して配置されており、賞球排出口４６は一体皿ユニット３０の前面に設けられた球皿２８と連通している。これにより、賞球払出装置からタンク内へ払い出された賞球は、タンク底面上を上流側（左側）から下流側（右側）へ転動し、タンク出口４４を介して賞球排出口４６から球皿２８に排出される。
【００２７】
また、タンク出口４４と賞球排出口４６との各下方位置には、上下方向に移動可能とされたシャッター板４８、５０がそれぞれ設けられている。このシャッター板４８、５０は、図２に示すように一体皿ユニット３０が閉塞された状態では各々下方へ移動してタンク出口４４と賞球排出口４６とを連通させ、図１に示すように一体皿ユニット３０が開放されると各々上方へ移動して、シャッター板４８はタンク出口４４の下縁側を、シャッター板５０は賞球排出口４６の下縁側を塞ぐようになっている。これにより、一体皿ユニット３０を開放した際に球皿２８及び貯球タンク４２から遊技球（賞球）がこぼれ出さないようにされている。
【００２８】
一方、内枠１４裏面の右側端部には施錠装置５２が取り付けられている。施錠装置５２にはシリンダー錠（錠前）５４が設けられており、このシリンダー錠５４の鍵孔５６は内枠１４の前面から露出されている。また、施錠装置５２の上下端部近傍で、外枠１２の右内側面に設けられた一対の鍵受け部５８Ａ、５８Ｂと対応する位置には、後方へ突出された一対の内枠固定用フック６０Ａ、６０Ｂが設けられており、ガラス枠２６裏面の右側端部に取り付けられているガラス枠補強板６２に設けられた一対の鍵受け部６４Ａ、６４Ｂと対応する位置には、内枠１４に形成されたスリット６６Ａ、６６Ｂを通して前方へ突出された一対のガラス枠固定用フック６８Ａ、６８Ｂが設けられている。さらに、施錠装置５２の下方部で、一体皿ユニット３０裏面の発射ハンドル補強板３６に形成された一対の鍵受け開口部７０Ａ、７０Ｂと対応する位置には、内枠１４に形成されたスリット７２Ａ、７２Ｂを通して前方へ突出された一対の一体皿ユニット固定用フック７４Ａ、７４Ｂが設けられている。これにより、内枠１４を閉じた際は、内枠固定用フック６０Ａ、６０Ｂが鍵受け部５８Ａ、５８Ｂに係合して内枠１４は外枠１２に固定され、ガラス枠２６を閉じた際は、ガラス枠補強板６２の鍵受け部６４Ａ、６４Ｂがガラス枠固定用フック６８Ａ、６８Ｂに係合してガラス枠２６は内枠１４に固定される。一体皿ユニット３０を閉じた際は、発射ハンドル補強板３６の鍵受け開口部７０Ａ、７０Ｂが一体皿ユニット固定用フック７４Ａ、７４Ｂに係合して一体皿ユニット３０は内枠１４に固定される。
【００２９】
また、内枠固定用フック６０Ａ、６０Ｂ及びガラス枠固定用フック６８Ａ、６８Ｂは、シリンダー錠５４の鍵孔５６に図示しない鍵を差し込んで所定方向に回すことにより、係合状態がそれぞれ解除されて解錠されるようになっている。一体皿ユニット固定用フック７４Ａ、７４Ｂについては、ガラス枠２６を開放すると露出される施錠装置５２の解除レバー７６を押し下げることにより、一体皿ユニット固定用フック７４Ａ、７４Ｂが下方へスライドして鍵受け開口部７０Ａ、７０Ｂとの係合状態が解除されるようになっている。この施錠装置５２により、内枠１４は外枠１２に施錠され、ガラス枠２６は内枠１４に施錠されるとともに、一体皿ユニット３０は内枠１４にロックされて、それぞれ閉塞状態に固定される。
【００３０】
（遊技盤の構成）
遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２と内レール１０４とによって囲まれた円形状の領域は、遊技球が移動可能な遊技領域１０１とされている。
【００３１】
遊技領域１０１（盤面１００Ａ）のほぼ中央には、特別図柄表示装置１０６が配置されている。特別図柄表示装置１０６は液晶ディスプレイを内蔵しており、そのディスプレイ画面１０８には特別図柄の抽選や各種演出等のアニメーションが表示される。
【００３２】
特別図柄表示装置１０６の下方には、始動口（スタート・チャッカー）１１０が配置されている。始動口１１０の下方には、遊技領域１０１の下端部付近に位置して変動入賞装置（特別電動役物）１１２が配設されており、変動入賞装置１１２は、左右幅方向を長手とした矩形状の大入賞口（アタッカー）１１４を備え、大入賞口１１４内には通称「Ｖゾーン」と呼ばれる連続役物作動口（図示省略）が設けられている。大入賞口１１４は、開閉扉１１６が開放又は閉塞することによって開口又は閉口するようになっており、開閉扉１１６の開放時には、開閉扉１１６上に落下した遊技球が開閉扉１１６に案内されて大入賞口１１４へ入賞する。さらに、遊技領域１０１には、入賞口１１８、風車１２０、サイド飾り１２２Ｌ、１２２Ｒが設けられており、最下位置にアウト口１２４が配置されている。
【００３３】
なお、上述した役物や各種遊技部品が取り付けられている遊技領域１０１には、遊技領域１０１内を落下する遊技球を所定の経路に誘導する多数の遊技釘が打ち込まれているが、図１ではそれら遊技釘の図示を省略している。また、本実施形態のパチンコ機１０は、発射装置４０を遊技盤１００の左下に配置して遊技球を上方に発射する機種であり、従来機種に比べてアウト口１２４の位置を下げることにより遊技領域１０１が拡大されている。また、パチンコ機本体は、ガラス枠２６や一体皿ユニット３０等を備えるとともに遊技盤１００が搭載された内枠１４によって構成されており、それらの内枠１４、ガラス枠２６、及び一体皿ユニット３０等は全て樹脂成形品とされている。
【００３４】
（パチンコ機の遊技仕様）
パチンコ機１０による遊技では、遊技者が発射ハンドル３４を操作すると、球皿２８に貯えられている遊技球は球送り装置３８により一球づつ発射装置４０に供給され、発射装置４０によって上方へ発射される（図１の矢印Ａ方向）。発射された遊技球は、外レール１０２に沿って遊技盤１００の遊技領域１０１に打ち込まれ、遊技釘に当たり方向を変えながら遊技領域１０１内を落下する。そして、入賞せずに遊技領域１０１の下端部に至った遊技球はアウト口１２４からパチンコ機１０内に回収される。
【００３５】
また、遊技球が入賞口１１８に入賞すると、賞球払出装置が作動して所定数（例えば５個）の賞球を払い出し、その払い出された賞球は、貯球タンク４２内を通りタンク出口４４を介して賞球排出口４６から球皿２８に排出される。
【００３６】
さらに、始動口１１０へ入賞すると、パチンコ機１０内の制御部（主制御基板）において当たり／外れの抽選処理が実行され、その抽選結果は、特別図柄表示装置１０６のディスプレイ画面１０８に、配列された複数の特別図柄が所定のパターンで変動されその変動パターンを経た停止図柄の組み合わせによって表示される。なお、この特別図柄の変動パターンには、例えば、リーチを経た当たり図柄の表示又は外れ図柄の表示、あるいはリーチなしの外れ図柄表示など、様々な演出や趣向を加味した数多くのパターンが用意されており、遊技者は、それらの演出を受け特別図柄の抽選結果を期待感も持って観察する。
【００３７】
そして、抽選結果が「大当たり」となった場合は、特別図柄表示装置１０６のディスプレイ画面１０８に、例えば、リーチ・アクションを経て「５５５」等の予め定められた所定の当たり図柄の組み合わせが表示されるとともに、表示灯８０の点滅やスピーカー８６、８８からの効果音出力などによる演出を加えて、大当たりが発生したことを遊技者に報知し、所定の大当たり動作を実行する。
【００３８】
大当たり動作としては、大入賞口１１４が、例えば１０カウント（入賞個数）又は最大３０秒間（１回の開放時間）／最高１６ラウンド（継続回数）開放されるとともに、１回の大入賞口１１４開放時に大入賞口１１４内のＶゾーンへの入賞を果たすことで次ラウンドを継続するといった動作が行われる。これにより、遊技者は、発射した遊技球を大入賞口１１４へ容易に入賞させ、例えば入賞１個当たり１５個の払い出しを受けるなどして、大量の賞球を獲得できるようになる。そして大量の賞球払い出しにより球皿２８が満杯になると、球皿２８に貯え切れなくなった分の賞球は貯球タンク４２内に貯球される。
【００３９】
また、当たり図柄が、例えば「７７７」等の予め定められた特定の図柄の組み合わせとなった場合には、上述した大当たり動作の終了後に、次の大当たり確率がアップする「確率変動機能」、あるいは大当たり確率は変わらないが特別図柄表示装置１０６の回転時間が短縮され大入賞口１１４が開放し易くなって球持ちをよくする「時短機能」といった付加機能が作動して、遊技者にとって有利な遊技状態が展開される。
【００４０】
（外枠の構成）
次に、図３〜図７を用いて外枠１２の構成ついて詳細に説明する。
【００４１】
本実施形態に係る外枠１２は、アルミニウム合金による成形品（アルミダイキャスト製）とされている。図３及び図４に示されるように、外枠１２は、上枠部１５２、下枠部１５４、左枠部１５６、及び右枠部１５８が一体化された一体構造の枠本体１５０を備え、枠本体１５０の前面下部には、枠本体１５０を補強するとともに下飾り２０を取り付けるための立壁部１６０が一体的に設けられている。この枠本体１５０の内側に形成される空間１５１に、パチンコ機本体を構成する内枠１４の裏面側が収容されるようになっている。
【００４２】
また、前述したヒンジ部１６は上枠部１５２の左端部に、ヒンジ部１８は立壁部１６０の左側上端部にそれぞれ一体的に設けられて図示のように前方へ突出している。鍵受け部５８Ａ、５８Ｂについては、右枠部１５８の内側面にそれぞれ一体的に設けられて図示のように内方へ突出している。したがって、外枠１２は、一体構造の枠本体１５０に、立壁部１６０、ヒンジ部１６、１８、及び鍵受け部５８Ａ、５８Ｂを全て一体化した構成となっている。
【００４３】
図５及び図６には、外枠１２に内枠１４を開閉可能に支持する支持構造が示されている。
【００４４】
図５（Ａ）、（Ｂ）に示される上側の支持構造としては、内枠１４の左上端部には、鋼鉄製のヒンジピン１６２が立設された板金製のヒンジ板１６４が取り付けられている。外枠１２のヒンジ部１６には、ヒンジ部１６の下面に、ヒンジピン１６２を収容して回動可能に支持する溝部１６６が形成されており、この溝部１６６は外枠１２の内方となる右側が開口している。さらに、ヒンジ部１６の下面には支軸１６８が一体的に設けられており、支軸１６８には、溝部１６６に収容されたヒンジピン１６２を保持及び保持解除するのための解除レバー１７０が回動可能に軸支されて取り付けられている。この解除レバー１７０は、図示しないバネによって、先端側のレバー部１７２が後方（図５（Ａ）に示す矢印Ｒ方向）へ回動する方向へ付勢されており、通常は、レバー部１７２はヒンジ部１６の右側に延設された鍔部１７４の下側に位置して隠れるとともに、その状態で基端側の保持部１７６により溝部１６６の開口側を塞いでいる（保持状態）。また、付勢力に抗してレバー部１７２を前方（図５（Ａ）に示す矢印Ｆ方向）へ操作すると、保持部１７６によって塞がれている溝部１６６の開口側は開放されるようになる（保持解除状態）。
【００４５】
一方、図６（Ａ）、（Ｂ）に示される下側の支持構造としては、内枠１４の左下端部には、ヒンジ孔１７８が形成された板金製のヒンジ板１８０が取り付けられている。外枠１２のヒンジ部１８には、ヒンジ板１８０のヒンジ孔１７８へ挿入されてヒンジ孔１７８を回動可能に支持するヒンジピン２００が立設されている。
【００４６】
これにより、内枠１４は、一対のヒンジ板１６４、１８０が外枠１２のヒンジ部１６、１８に軸支されて外枠１２に開閉可能に取り付けられる。また、解除レバー１７０のレバー部１７２を操作しながら図５（Ｂ）に示すようにヒンジ板１６４のヒンジピン１６２をヒンジ部１６の溝部１６６から離脱させ、さらに、内枠１４を持ち上げて図６（Ｂ）に示すようにヒンジ板１８０のヒンジ孔１７８をヒンジ部１８のヒンジピン２００から離脱させることによって、内枠１４を外枠１２から簡単に取り外すことができる。また、この逆の手順によって内枠１４を外枠１２に簡単に取り付けられるようになっている。
【００４７】
また、本実施形態のヒンジピン２００はステンレス合金等の鋼鉄製とされており、したがって、アルミニウム合金で形成されたヒンジ部１８よりも耐磨耗性が高くされている。図７（Ａ）（Ｂ）に示されるように、ヒンジピン２００は、ヒンジ板１８０のヒンジ孔１７８を軸支する中間部分の軸支部２０２はストレート状で、先端側はその軸支部２０２にヒンジ孔１７８を案内しやすいよう先細りのテーパー部２０４となっている。さらに、ヒンジピン２００の基端側の外周面には網目状のローレット加工が施されており、このローレット部２０６がヒンジ部１８に形成された貫通孔２０８に圧入されて（図７（Ｂ）の状態）ヒンジ部１６に固着されている。
【００４８】
次に、本実施形態の作用について説明する。
【００４９】
内枠１４の開閉動作によって、ヒンジ板１８０のヒンジ孔１７８とヒンジピン２００と間には摩擦を生じるが、本実施の形態では、ヒンジピン２００を、ヒンジ部１８よりも耐磨耗性が高い材料で形成していることによりヒンジピン２００の磨耗が抑えられる。
【００５０】
また、ヒンジ部１８への取り付けには圧入を用いていることで強固に固着され、さらに、圧入部にはローレット加工を施していることでヒンジピン２００の回り止めも強化される。これにより、重量物となるパチンコ機本体の荷重が内枠１４開閉時にヒンジピン２００に加わっても、ヒンジピン２００はヒンジ部１８から容易に脱落することはない。
【００５１】
次に、図８〜図１２を用いて本発明の第２〜第６の実施形態について説明する。なお、第２〜第６の実施形態は、第１の実施形態で説明したヒンジピンのヒンジ部への取付構造を変更した変形例である。
【００５２】
［第２の実施形態］
図８（Ａ）、（Ｂ）に示される第２の実施形態に係るヒンジピン２１０は、軸支部２０２とローレット部２０６との間にフランジ２１２が形成されている。一方、ヒンジ部１８に形成された貫通孔２０８の上縁には、フランジ２１２と対応する凹段部２１４が設けられており、図８（Ｂ）に示すように、ヒンジピン２００をヒンジ部１８の貫通孔２０８に圧入すると、凹段部２１４にはフランジ２１２が嵌め込まれる。
【００５３】
これにより、ヒンジピン２００に押し下げ方向の力が加わった場合は、その力はフランジ２１２を介して凹段部２１４に受け止められるようになり、例えば、ヒンジ板１８０がヒンジピン２００に乗り上げパチンコ機本体の荷重がヒンジピン２００に加わるようなことがあっても、ヒンジピン２００の陥没等を防ぐことができる。
【００５４】
［第３の実施形態］
第３の実施形態はカシメ固定を用いた例であり、図９（Ａ）、（Ｂ）に示される第３の実施形態に係るヒンジピン２２０は、基端側がピン径（軸支部２０２の直径）よりも小径のカシメ部２２２とされている。一方、ヒンジ部１８には、カシメ部２２２と対応するカシメ孔（貫通孔）２２４が形成されており、図９（Ｂ）に示すように、ヒンジピン２２０のカシメ部２２２をカシメ孔２２４に挿入し、カシメ孔２２４の下面側へ突出した突出部分を潰して頭部２２６を形成することにより、ヒンジピン２２０はヒンジ部１６に取り付けられている。
【００５５】
このようなカシメ固定を用いることでも、ヒンジピン２２０をヒンジ部１８に強固に固着することができる。
【００５６】
［第４の実施形態］
第４の実施形態は第３の実施形態の変形例であり、図１０（Ａ）、（Ｂ）に示される第４の実施形態に係るヒンジピン２３０は、軸支部２０２の下端部（軸支部２０２とカシメ部２２２との間）にフランジ２３２が形成されている。一方、ヒンジ部１８に形成された貫通孔２０８の上縁には、フランジ２３２と対応する凹段部２３４が設けられており、図１０（Ｂ）に示すように、カシメ部２２２をヒンジ部１８のカシメ孔２２４に挿入すると凹段部２３４にはフランジ２３２が嵌め込まれ、その状態でヒンジピン２３０はカシメ固定されている。
【００５７】
これにより、ヒンジピン２３０に加わる水平方向の力はフランジ２３２を介して凹段部２３４に受け止められ、例えば、ヒンジピン２３０に水平方向の衝撃力等が加わるようなことがあっても、カシメ部２２２付け根部分からの折損等を防ぐことができる。
【００５８】
［第５の実施形態］
第５の実施形態はインサート成形を用いた例であり、図１１（Ａ）、（Ｂ）に示される第５の実施形態に係るヒンジピン２４０は、基端側の外周面に第１の実施形態と同様に網目状のローレット加工が施されている。また、そのローレット部２４２の軸心方向の略中間部には、ピン径よりも小径の小径部２４４が形成されている。そして、外枠１２の成形時に、図１１（Ｂ）に示すように、小径部２４４を含むローレット部２４２をヒンジ部１８に埋入させることにより、ヒンジピン２２０はヒンジ部１６に固定される。
【００５９】
このようなインサート成形を用いることでも、ヒンジピン２４０をヒンジ部１８に強固に固着することができる。また、ローレット部２４２による回り止めの強化も果たされる。
【００６０】
［第６の実施形態］
第６の実施形態は第５の実施形態の変形例であり、図１２（Ａ）、（Ｂ）に示される第６の実施形態に係るヒンジピン２５０は、軸支部２０２の下部側（軸支部２０２と小径部２４４との間）に、ローレット部２４２に替えてフランジ２５２が形成されている。そして、図１２（Ｂ）に示すように、ヒンジピン２５０をヒンジ部１８にインサート成形すると、基端側のローレット部２４２、小径部２４４、及びフランジ２５２はヒンジ部１８に埋入され、フランジ２５２の上面はヒンジ部１８の上面と同一面になる。
【００６１】
これにより、ヒンジピン２５０をより安定して固定することができるとともに、ヒンジピン２５０に加わる押し下げ方向の力や水平方向の力に対しての抗力を増することができる。
【００６２】
次に、図１３〜図１７を用いて本発明の第７〜第１０の実施形態について説明する。なお、第７〜第１０の実施形態は、第１の実施形態で説明した外枠１２における鍵受け部５８Ａ、５８Ｂの磨耗を抑える例である。
【００６３】
［第７の実施形態］
図１３では、外枠１２（枠本体１５０）の右枠部１５８に突設された鍵受け部５８Ａ、５８Ｂと、施錠装置５２に設けられた内枠固定用フック６０Ａ、６０Ｂとの関係を後側から見た斜視図で示している。なお、以下では、鍵受け部５８Ａ、５８Ｂを「鍵受け部５８」、内枠固定用フック６０Ａ、６０Ｂを「内枠固定用フック６０」として説明する。
【００６４】
図１３に示されるように、鍵受け部５８は、上下方向と平行な向きの壁体１９０が右枠部１５８の内側面１５８Ａから内方へ略直角に突出されている。壁体１９０の上端部には、基端部が右枠部１５８の内側面１５８Ａと繋がれた補強用のリブ１９２が設けられており、壁体１９０の先端部には、先端部から後方へ略直角に延出されたフック外れ防止用のリブ１９４が設けられている。また、壁体１９０の略中央には、左右方向と平行な向きに長溝（貫通孔）１９６が形成されており、この長溝１９６を介して壁体１９０には、図示のような接触部材２６０が取り付けられるようになっている。
【００６５】
接触部材２６０は、ステンレス合金等の鋼鉄製の板バネ材によって形成されており、図１３及び図１４（Ａ）、（Ｂ）に示されるように、矩形の板バネ材をコ字状に屈曲した本体部２６２を備えている。本体部２６２は、長手寸法が壁体１９０の長溝１９６の長さ寸法とほぼ等しくされており、内幅寸法が壁体１９０の厚さ寸法とほぼ等しくされている。また、コ字状開放端となる先端には、内方へ略直角に屈曲された屈曲部２６４が対向して設けられ、所定の間隔を形成しており、本体部２６２の底面からこの屈曲部２６４までの高さ寸法は、壁体１９０の下面から長溝１９６までの高さ寸法とほぼ等しくされている。
【００６６】
これにより、接触部材２６０を鍵受け部５８に取り付けるには、本体部２６２の開放端側を外方に広げて弾性変形させ、その状態で、本体部２６２を壁体１９０の下部に嵌め込みながら屈曲部２６４を長溝１９６に嵌め入れる。屈曲部２６４が長溝１９６に嵌め入れられると、屈曲部２６４は本体部２６２の弾性力によって長溝１９６に係止した状態に保持され、図１４（Ｂ）に示すように、接触部材２６０は鍵受け部５８に固定される。このように、本実施形態の接触部材２６０では、鍵受け部５８への取り付けを簡単に行うことができる。
【００６７】
また、内枠１４を外枠１２に施錠すると、図１４（Ｂ）に示すように、内枠固定用フック６０は鍵受け部５８に係合し、その状態では内枠固定用フック６０が接触部材２６０の後面２６０Ｂ及び下面２６０Ｃに接触する。また、施錠時には、内枠固定用フック６０の先端部が接触部材２６０の前面２６０Ａに摺接し、解錠時には、図１４（Ｂ）の位置から下方へ移動する内枠固定用フック６０が接触部材２６０の後面２６０Ｂに摺接する。このような、内枠１４の施錠／解除動作によって、内枠固定用フック６０と鍵受け部５８の接触部材２６０との間には摩擦を生じるが、本実施の形態では、接触部材２６０を、鍵受け部５８よりも耐磨耗性が高い材料で形成していることにより鍵受け部５８（接触部材２６０）の磨耗が抑えられる。
【００６８】
［第８の実施形態］
第８の実施形態は第７の実施形態の変形例であり、図１５（Ａ）、（Ｂ）に示される第８の実施形態に係る接触部材２７０は、第７の実施形態と同形状の本体部２７２を備え、本体部２７２の一方の先端部のみに屈曲部２７４が設けられている。また、この屈曲部２７４は、第７の実施形態の屈曲部２６４よりも長くされているが、本体部２７２の他方の先端部との間には所定の間隔を形成している。
【００６９】
このように、本体部２７２の一方の先端部のみに屈曲部２７４を設けた構成でも、接触部材２７０を鍵受け部５８に容易に取り付けることができ、また、その接触部材２７０によって鍵受け部５８の耐磨耗性を高めることができる。
【００７０】
［第９の実施形態］
第９の実施形態はカシメ固定を用いた例であり、図１６（Ａ）、（Ｂ）に示される第９の実施形態に係る接触部材２８０は、断面略Ｌ字状に形成されている。また、略Ｌ字状とされた長端部２８２側の先端部には貫通孔２８４が形成されている。一方、鍵受け部５８の壁体１９０には、貫通孔２８４と対応するカシメ孔（貫通孔）２８６が形成されている。そして、接触部材２８０を鍵受け部５８に取り付けるには、図１６（Ｂ）に示すように、接触部材２８０の長端部２８２を壁体１９０の後面１９０Ｂに重ね合わせ、位置が揃った貫通孔２８４及びカシメ孔２８６に後方からカシメピン２８８を挿入し、カシメ孔２８６から壁体１９０の前面１９０Ａ側へ突出した突出部分を潰すことにより取り付けている。
【００７１】
このようなカシメ固定を用いることでも、接触部材２８０を鍵受け部５８に取り付けることができ、また、その接触部材２８０によって鍵受け部５８の耐磨耗性を高めることができる。
【００７２】
［第１０の実施形態］
図１７（Ａ）、（Ｂ）に示される第１０の実施形態に係る接触部材２９０は、コ字状に屈曲され本体部２９２を備え、この本体部２９２のコ字状開放端となる先端部には、曲げ加工によって内方へ曲面状に張り出すよう形成された屈曲部２９４が対向して設けられている。一方、鍵受け部５８には、壁体１９０の前面１９０Ａ及び後面１９０Ｂに、屈曲部２９４と対応する溝部２９６がそれぞれ形成されている。
【００７３】
これにより、接触部材２９０を鍵受け部５８に取り付けるには、接触部材２９０の開放端側を下方から壁体１９０の下部側へ押し入れるようにして装着する。この取り付けでは、本体部２９２の底面が壁体１９０の下面１９０Ｃに突き当たるまで押し込むと、図１７（Ｂ）に示すように、接触部材２９０の本体部２９２によって壁体１９０の下部側が完全に覆われる。また、一対の屈曲部２９４は溝部２９６にそれぞれ嵌まり込み、本体部２９２の弾性力によって溝部２９６に係止した状態に保持される。
【００７４】
このような接触部材２９０を用いることでも、接触部材２９０を鍵受け部５８に簡単に取り付けることができ、また、その接触部材２９０によって鍵受け部５８の耐磨耗性を高めることができる。
【００７５】
以上、本発明を上述した第１〜第１０の実施形態により詳細に説明したが、本発明はそれに限定されるものではなく、本発明の範囲内にて他の種々の実施形態が可能である。
【００７６】
例えば、ヒンジピン及び鍵受け部の材質は、鋼鉄製に限らずセラミック等の非金属材料とすることができる。外枠については、アルミダイキャスト製に限らず樹脂成形製等の他の材質による一体構造のものでもよい。
【００７７】
また、回収した使用済の外枠を新装して再使用する場合は、樹脂製よりもアルミダイキャスト製の方が耐久性が高いためそのリサイクルの頻度が高くなる。このようなパーツリサイクルの点でも、本発明の外枠は、ヒンジピン及び鍵受け部の耐磨耗性が高いため、リサイクル時の交換を不要とすることができて好適である。
【００７８】
また、第７、第８、及び第１０の実施形態では、鍵受け部から接触部材を取り外す際に、工具等を用いることなく簡単に取り外すことができるため、外枠を原材料（アルミニウム）に戻すリサイクル時の分解作業において、異材質の部品（接触部材）を取り外す作業が軽減される。
【００７９】
【発明の効果】
本発明の遊技機の外枠は上記構成としたので、ヒンジ部や鍵受け部を一体的に設けた成形品の外枠において、摩擦部となるヒンジピン及び鍵受け部の磨耗が抑えられて耐久性が向上する。
【図面の簡単な説明】
【図１】本発明の第１の実施形態に係るパチンコ機を示した斜視図である。
【図２】本発明の第１の実施形態に係るパチンコ機を示した正面図である。
【図３】本発明の第１の実施形態に係る外枠を示した斜視図である。
【図４】本発明の第１の実施形態に係る外枠を示した斜視図である。
【図５】本発明の第１の実施形態に係る内枠上部側の支持構造を示した斜視図であり、（Ａ）は内枠上部側が外枠に支持された状態であり、（Ｂ）は離脱した状態である。
【図６】本発明の第１の実施形態に係る内枠下部側の支持構造を示した斜視図であり、（Ａ）は内枠下部側が外枠に支持された支持状態であり、（Ｂ）は離脱した状態である。
【図７】本発明の第１の実施形態に係るヒンジ部のヒンジピン取付部における断面図であり、（Ａ）はヒンジピンが分離した状態であり、（Ｂ）はヒンジピンが取り付けられた状態である。
【図８】本発明の第２の実施形態に係るヒンジ部のヒンジピン取付部における断面図であり、（Ａ）はヒンジピンが分離した状態であり、（Ｂ）はヒンジピンが取り付けられた状態である。
【図９】本発明の第３の実施形態に係るヒンジ部のヒンジピン取付部における断面図であり、（Ａ）はヒンジピンが分離した状態であり、（Ｂ）はヒンジピンが取り付けられた状態である。
【図１０】本発明の第４の実施形態に係るヒンジ部のヒンジピン取付部における断面図であり、（Ａ）はヒンジピンが分離した状態であり、（Ｂ）はヒンジピンが取り付けられた状態である。
【図１１】本発明の第５の実施形態に係るヒンジ部のヒンジピン取付部における断面図であり、（Ａ）はヒンジピンが分離した状態であり、（Ｂ）はヒンジピンが取り付けられた状態である。
【図１２】本発明の第６の実施形態に係るヒンジ部のヒンジピン取付部における断面図であり、（Ａ）はヒンジピンが分離した状態であり、（Ｂ）はヒンジピンが取り付けられた状態である。
【図１３】本発明の第７の実施形態に係る鍵受け部を示した拡大斜視図である。
【図１４】本発明の第７の実施形態に係る鍵受け部の接触部材取付部における断面図であり、（Ａ）は接触部材が分離した状態であり、（Ｂ）は接触部材が取り付けられた状態である。
【図１５】本発明の第８の実施形態に係る鍵受け部の接触部材取付部における断面図であり、（Ａ）は接触部材が分離した状態であり、（Ｂ）は接触部材が取り付けられた状態である。
【図１６】本発明の第９の実施形態に係る鍵受け部の接触部材取付部における断面図であり、（Ａ）は接触部材が分離した状態であり、（Ｂ）は接触部材が取り付けられた状態である。
【図１７】本発明の第１０の実施形態に係る鍵受け部の接触部材取付部における断面図であり、（Ａ）は接触部材が分離した状態であり、（Ｂ）は接触部材が取り付けられた状態である。
【図１８】従来の外枠を示した正面図である。
【図１９】従来の外枠を示した裏面図である。
【符号の説明】
１０        パチンコ機（遊技機）
１２        外枠
１４        内枠
１８        ヒンジ部
１５０        枠本体
１５２        上枠部
１５４        下枠部
１５６        左枠部
１５８        右枠部
１９６        長溝（被係止部）
２００、２１０、２２０、２３０、２４０、２５０    ヒンジピン
２６０、２７０、２８０、２９０    接触部材
２６２、２７２、２９２    本体部
２６４、２７４、２９４    屈曲部（係止部）
２９６        溝部（被係止部）
【図１】
2004194725.tif 000003
【図２】
2004194725.tif 000004
【図３】
2004194725.tif 000005
【図４】
2004194725.tif 000006
【図５】
2004194725.tif 000007
【図６】
2004194725.tif 000008
【図７】
2004194725.tif 000009
【図８】
2004194725.tif 000010
【図９】
2004194725.tif 000011
【図１０】
2004194725.tif 000012
【図１１】
2004194725.tif 000013
【図１２】
2004194725.tif 000014
【図１３】
2004194725.tif 000015
【図１４】
2004194725.tif 000016
【図１５】
2004194725.tif 000017
【図１６】
2004194725.tif 000018
【図１７】
2004194725.tif 000019
【図１８】
2004194725.tif 000020
【図１９】
2004194725.tif 000021